(57)【要約】【課題】  夜間において十分な輝度感を確保することができ、表面加飾品における装飾の視認性を向上する。【解決手段】  装飾パネル１は、蓄光顔料を含む透明樹脂からなり表面及び裏面を有する成形体１５と、成形体１５の表面側に形成された印刷層１６と、印刷層１６を覆うように成形体１５の表面側に形成されたクリアコート層１７とを備える。成形体１５の裏面側にランプ１３が配置され、そのランプ１３の発する光を成形体１５の蓄光顔料１８が吸収することで成形体１５が発光する。【選択図】  図４
2006232065.tif 000002
【特許請求の範囲】
【請求項１】
蓄光顔料を含む透明樹脂からなり表面及び裏面を有する成形体と、
前記成形体の表面側に形成された印刷層と、
前記印刷層を覆うように前記成形体の表面側に形成されたクリアコート層と
を有する表面加飾品を備え、
前記印刷層及び前記クリアコート層よりも内層側に発光部が配置され、その発光部の発する光を前記蓄光顔料が吸収することで前記成形体が発光可能なことを特徴とする自動車用装飾部品。
【請求項２】
透明樹脂からなり表面及び裏面を有する成形体と、
前記成形体の表面側に形成され、蓄光顔料を含む発光層と、
前記発光層の表面側に形成された印刷層と、
前記印刷層を覆うように前記成形体の表面側に形成されたクリアコート層と
を有する表面加飾品を備え、
前記印刷層及び前記クリアコート層よりも内層側に発光部が配置され、その発光部の発する光を前記蓄光顔料が吸収することで前記発光層が発光可能なことを特徴とする自動車用装飾部品。
【請求項３】
前記発光部は、前記成形体の裏面側に配置された電気的発光手段であることを特徴とする請求項１または２に記載の自動車用装飾部品。
【請求項４】
前記電気的発光手段は、紫外線を発生することを特徴とする請求項３に記載の自動車用装飾部品。
【請求項５】
前記表面加飾品は、自動車におけるスイッチ取付部の周囲をカバーするカバー部品であり、前記発光部は、前記スイッチ取付部に対応してその裏側に配置されていることを特徴とする請求項１乃至４のいずれか１項に記載の自動車用装飾部品。
【発明の詳細な説明】
【技術分野】
【０００１】
本発明は、蓄光顔料を用いて発光可能に構成された表面加飾品を備える自動車用装飾部品に関するものである。
【背景技術】
【０００２】
自動車の内装部品などでは、デザイン性や品質を高めるために成形体の表面に水圧転写によって装飾を加えるようにした表面加飾品（例えば、コンソールボックス、インストルメントパネル、アームレストなど）が多く実用化されている。ここで、水圧転写とは、水面上に特殊フィルムを浮かべ、そのフィルムに印刷された所定の絵柄（木目模様や幾何学模様などの絵柄）を水圧によって成形品の表面に転写する技術であり、三次元曲面への印刷を正確かつ容易に行うことができる。
【０００３】
また、この水圧転写によって装飾が施された表面加飾品において、蓄光顔料を含む発光層を形成して夜間での視認性を高めるようにした製品が従来提案されている（例えば、特許文献１参照）。
【特許文献１】特開平８−２５８４９８号公報
【発明の開示】
【発明が解決しようとする課題】
【０００４】
ところで、特許文献１のような表面加飾品において、発光層は表面側から照射される太陽光を吸収して発光するものである。従って、夜間では光を蓄積することができず、時間経過とともに発光層の輝度感が落ちてしまうため、部品表面に施した絵柄が認識しづらくなる。また、部品形状によっては、太陽光が照射されない部位もあるため、その部位に設けられた発光層は光を十分に蓄積することができず所望の輝度感を得ることができないといった問題もある。
【０００５】
本発明は上記の課題に鑑みてなされたものであり、その目的は、夜間において十分な輝度感を確保することができ、表面加飾品における装飾の視認性を向上することができる自動車用装飾部品を提供することにある。
【課題を解決するための手段】
【０００６】
上記課題を解決するために、請求項１に記載の発明は、蓄光顔料を含む透明樹脂からなり表面及び裏面を有する成形体と、前記成形体の表面側に形成された印刷層と、前記印刷層を覆うように前記成形体の表面側に形成されたクリアコート層とを有する表面加飾品を備え、前記印刷層及び前記クリアコート層よりも内層側に発光部が配置され、その発光部の発する光を前記蓄光顔料が吸収することで前記成形体が発光可能なことを特徴とする自動車用装飾部品をその要旨とする。
【０００７】
請求項１に記載の発明によれば、印刷層及びクリアコート層よりも内層側に配置された発光部が光を発すると、その光は透明樹脂からなる成形体内の蓄光顔料に照射される。このようにすると、夜間において発光部の光を成形体の蓄光顔料に蓄積させることができ、成形体の輝度感の低下を防止することができる。従って、夜間において、成形体が高輝度で発光して印刷層を照らし出すため、その印刷層により形成される装飾を確実に認識することができる。
【０００８】
請求項２に記載の発明は、透明樹脂からなり表面及び裏面を有する成形体と、前記成形体の表面側に形成され、蓄光顔料を含む発光層と、前記発光層の表面側に形成された印刷層と、前記印刷層を覆うように前記成形体の表面側に形成されたクリアコート層とを有する表面加飾品を備え、前記印刷層及び前記クリアコート層よりも内層側に発光部が配置され、その発光部の発する光を前記蓄光顔料が吸収することで前記発光層が発光可能なことを特徴とする自動車用装飾部品をその要旨とする。
【０００９】
請求項２に記載の発明によれば、印刷層及びクリアコート層よりも内層側に配置された発光部が光を発すると、その光は透明樹脂からなる成形体を介して発光層の蓄光顔料に照射される。このようにすると、夜間において発光部の光を発光層に蓄積させることができ、発光層の輝度感の低下を防止することができる。従って、夜間において、発光層が高輝度で発光して印刷層を照らし出すため、その印刷層により形成される装飾を確実に認識することができる。
【００１０】
本発明における成形体の透明樹脂としては、ポリカーボネート樹脂、アクリル樹脂、塩化ビニル樹脂などの樹脂を挙げることができる。また、蓄光顔料としては、酸化ストロンチウム、酸化アルミニウム、酸化カルシウム、酸化マグネシウムなどを主成分とする顔料を挙げることができる。
【００１１】
請求項３に記載の発明は、請求項１または２において、前記発光部は、前記成形体の裏面側に配置された電気的発光手段であることをその要旨とする。
【００１２】
請求項３に記載の発明によれば、電気的発光手段への通電によって明るい光を発生させることができるため、蓄光顔料に光を効率よく吸収させることができ、成形体または発光層を確実に発光させることができる。
【００１３】
請求項４に記載の発明は、請求項３において、前記電気的発光手段は、紫外線を発生することをその要旨とする。
【００１４】
請求項４に記載の発明によれば、可視光線よりもエネルギーの大きい紫外線を照射することにより、蓄光顔料に光をいっそう効率よく吸収させることができる。
【００１５】
請求項５に記載の発明は、請求項１乃至４のいずれか１項において、前記表面加飾品は、自動車におけるスイッチ取付部の周囲をカバーするカバー部品であり、前記発光部は、前記スイッチ取付部に対応してその裏側に配置されていることをその要旨とする。
【００１６】
請求項５に記載の発明によれば、発光部は、スイッチ取付部に対応してその裏側に配置されるため、スイッチ取付部の周囲に光を照射することができる。従って、夜間において、その光を吸収した成形体または発光層が発光してスイッチ取付部を照らし出すことにより、スイッチの位置を容易に確認することができる。
【発明の効果】
【００１７】
以上詳述したように、請求項１〜５に記載の発明によると、夜間において十分な輝度感を確保することができ、表面加飾品における装飾の視認性を向上することができる。
【発明を実施するための最良の形態】
【００１８】
［第１の実施の形態］
【００１９】
以下、本発明を具体化した第１の実施の形態を図面に基づき詳細に説明する。図１は本実施形態における表面加飾品を示す斜視図であり、図２は、その表面加飾品の取り付け位置を示す説明図である。
【００２０】
図１及び図２に示されるように、本実施の形態の表面加飾品１は、自動車のドア２に設けられたアームレスト３の上面を覆う装飾パネルであり、パワーウインドウスイッチ４やドアロックスイッチ５などのスイッチ取付部の周囲を囲むカバー部品として機能する。
【００２１】
この装飾パネル１には、パワーウインドウスイッチ４を挿入するための収納部６、ドアロックスイッチ５などを挿入するための挿入孔７が設けられている。装飾パネル１において、それら収納部６や挿入孔７を除く表面（パネル上面）１ａには、例えば木目模様などの装飾が施されている。
【００２２】
図３に示されるように、アームレスト３の内側（装飾パネル１の裏面側）に形成される収納部１０には、各スイッチ４，５の操作を検出し、スイッチ操作に応じた信号を生成するための処理回路１１が設けられている。また、その処理回路１１が形成されている基板１２上には、装飾パネル１に向けて光を照らすランプ１３が設けられている。本実施の形態のランプ１３は、紫外線を照射するＵＶランプであり、図示しないヘッドライトのスイッチに連動してオン・オフ（点灯・消灯）されるようになっている。なお、ＵＶランプは、ヘッドライトのオン時において常時点灯させてもよいが、ヘッドライトのオン時において間欠的に点灯させることで省電力化を図ってもよい。
【００２３】
図４に示されるように、装飾パネル１は、成形体１５と、成形体１５の表面側に形成される印刷層１６と、印刷層１６を覆うように成形体１５の表面側に形成されるクリアコート層１７とを備える。
【００２４】
成形体１５は、蓄光顔料１８を含む透明樹脂を用いてパネル状に成形される。この成形体１５に対して光が照射されると、その光を吸収した成形体１５が暗所において発光する。蓄光顔料１８としては、例えばストロンチウムを主成分とする顔料が用いられる。また、透明樹脂としては、例えば、アクリル樹脂が用いられる。透明樹脂は、光を透過する樹脂であればよく、無色透明の樹脂以外に有色透明の樹脂を用いることができる。
【００２５】
印刷層１６は、図示しない水溶性フィルム上にグラビア印刷を行うことにより作製され、水圧転写によって成形体１５の表面上に転写されることで成形体表面を装飾する。本実施の形態における印刷層１６の絵柄は木目模様である。なお、印刷層１６の絵柄としては、木目模様以外に、幾何学模様や大理石模様などでもよい。
【００２６】
クリアコート層１７は、クリア塗料を塗布することで形成され、印刷層１６を保護する保護膜として機能する。このクリア塗料としては、例えば、二液ウレタン塗料などの透明のクリア塗料が用いられる。
【００２７】
次に、本実施の形態の装飾パネル１の作用について説明する。
【００２８】
昼間において、太陽光が装飾パネル１の表面１ａに照射されると、その表面１ａに施された装飾（木目模様の絵柄）が認識されるため、装飾パネル１の外観品質が高められる。またこのとき、太陽光はクリアコート層１７を介して成形体１５（蓄光顔料１８）に照射される。そして、夜になり装飾パネル１の周囲が暗くなると、光を吸収した成形体１５が発光して装飾を照らし出すため、明るい場所とは異なる美しい外観が得られる。
【００２９】
一方、夜間において長時間自動車を運転しないと、成形体１５の輝度感はその時間経過とともに徐々に低下して、装飾パネル１の装飾が認識しづらくなるが、装飾パネル１の裏側からランプ１３の光を照射することにより、装飾の視認性が向上される。
【００３０】
具体的には、夜間において自動車を運転するためにヘッドライトのスイッチがオンされると、装飾パネル１の裏側に配置されたランプ１３が点灯して、その光が成形体１５に照射される。その後、ヘッドライトのスイッチがオフされてランプ１３が消灯すると、光を吸収した成形体１５が発光して装飾が照らし出されるため、その装飾によって美しい外観が維持される。
【００３１】
従って、本実施の形態によれば以下の効果を得ることができる。
【００３２】
（１）本実施の形態の場合、夜間の運転時において、ランプ１３の光を装飾パネル１に照射してその光を成形体１５の蓄光顔料１８に吸収させることにより、成形体１５の輝度感を高めることができる。その結果、自動車の搭乗者は、装飾パネル１に施された装飾を確実に認識することができる。
【００３３】
（２）本実施の形態の場合、電気的発光手段であるランプ１３を用いたので、運転者によるヘッドライトのスイッチ操作に応じてランプ１３を迅速に点灯・消灯させることができる。また、ランプ１３が成形体１５の裏側に配置されるので、成形体１５にランプ１３の光を確実に照射することができる。このようにすれば、装飾パネル１の表面側から太陽光を吸収できない夜間において、ランプ１３が点灯することによりその光を成形体１５に確実に吸収させることができる。
【００３４】
（３）本実施の形態の場合、ランプ１３への通電によって、明るい光を発生させることができるため、蓄光顔料１８に光を効率よく吸収させることができる。このため、成形体１５を確実に発光させることができる。特に、本実施の形態のランプ１３は、可視光線よりもエネルギーの大きい紫外線を照射することから、蓄光顔料１８に光をいっそう効率よく吸収させることができる。
【００３５】
（４）本実施の形態の場合、自動車の夜間運転後においてヘッドライトを消すと、スイッチ取付部の周囲を囲む装飾パネル１が発光するため、各スイッチ４，５の位置を容易に確認することができる。
【００３６】
（５）本実施の形態の装飾パネル１はスイッチ取付部の周囲を囲むものであって、その装飾パネル１の裏面側には各スイッチ４，５の処理回路１１が形成された基板１２が設置されている。ゆえに、ランプ１３を固定するための専用の固定部材をわざわざ設けなくても、基板１２上にランプ１３を設けることができる。しかも、その基板１２上の配線を介して、自動車のバッテリからランプ１３に容易に給電をすることができ、実用上好ましいものとなる。
［第２の実施の形態］
【００３７】
次に、本発明を具体化した第２の実施の形態を図５に基づき説明する。なお、本実施の形態の装飾パネル２０は、図１に示す第１の実施の形態の装飾パネル１と同一の外観形状を有し、アームレスト３の上面を覆う装飾パネルとして用いられる。
【００３８】
図５に示されるように、装飾パネル２０は、成形体２１と、成形体２１の表面側に形成される発光層２２と、発光層２２の表面側に形成される印刷層２３と、印刷層２３を覆うように成形体２１の表面側に形成されたクリアコート層２４とを備える。
【００３９】
成形体２１は、アクリル樹脂などの透明樹脂を用いて成形される。発光層２２は蓄光顔料１８が混入された蓄光塗料を塗布することで形成される。この発光層２２に対して光が照射されると、その光を吸収した発光層２２が暗所において発光する。印刷層２３は、水圧転写によって発光層２２の表面上に転写されることで成形体表面を装飾する。クリアコート層２４は、クリア塗料を塗布することで形成され、印刷層２３を保護する保護膜として機能する。
【００４０】
この装飾パネル２０においても、表面に太陽光が照射されると、その表面に施された装飾（例えば、木目模様の絵柄）が認識されるため、装飾パネル２０の外観品質が高められる。またこのとき、太陽光はクリアコート層２４を介して発光層２２に照射される。そして、夜になり装飾パネル２０の周囲が暗くなると、その発光層２２が発光して装飾を照らし出すため、明るい場所とは異なる美しい外観が得られる。
【００４１】
また、夜間において装飾パネル２０の裏側に配置されたランプ１３が点灯すると、そのランプ１３の光が透明な成形体２１を介して発光層２２に照射される。そして、ランプ１３の消灯時にはその光を吸収した発光層２２が発光して装飾を照らし出すため、その装飾によって美しい外観が維持される。
【００４２】
このように、本実施の形態の装飾パネル２０においても、第１の実施の形態と同様の作用効果を得ることができる。
【００４３】
なお、本発明の実施の形態は以下のように変更してもよい。
【００４４】
・上記各実施の形態では、発光部として紫外線を発光するランプ１３を用いたが、これ以外に、発光ダイオードや蛍光灯などの光源を用いてもよい。
【００４５】
・上記各実施の形態では、ランプ１３を装飾パネル１，２０の裏側に配置するものであったが、これに限定されるものではなく、装飾パネル１，２０における印刷層１６，２３及びクリアコート層１７，２４よりも内側に発光部を配置するものであればよい。具体的には、例えば、装飾パネル１，２０における成形体自体に、発光ダイオード等のような発光体（発光部）を埋め込んでもよい。また、ドア本体側に発光体を設け、光ファイバーでその光を伝搬して成形体１５や発光層２２に照射するよう構成してもよい。即ち、この場合には光ファイバーの終端が実質的に発光部としての役割を果たすことになる。さらに、鏡などで光を反射させて成形体１５や発光層２２に照射するよう構成してもよい。
【００４６】
・上記各実施の形態では、アームレストの装飾パネル１，２０に具体化したが、それ以外に、インストルメントパネル、コンソールボックスなどの装飾パネルに具体化してもよい。勿論、自動車の室内に設けられる自動車用装飾部品に限定されるものではなく、室外に設けられる外装部品（例えば、ホイール用部品）などに具体化してもよい。
【００４７】
・上記各実施の形態の装飾パネル１，２０では、水圧転写により印刷層１６，２３を形成するものであったが、それ以外の方法、例えばスクリーン印刷などで印刷層を形成してもよい。
【００４８】
・上記実施の形態では、クリア塗料として、二液ウレタン塗料を用いたが、一液ウレタン塗料を用いてもよい。勿論、ウレタン塗料以外にアクリル塗料などのクリア塗料を用いてもよい。
【００４９】
次に、特許請求の範囲に記載された技術的思想のほかに、前述した各実施の形態によって把握される技術的思想を以下に列挙する。
【００５０】
（１）請求項３または４において、前記電気的発光手段は、自動車のヘッドライトのスイッチに連動してオン・オフされることを特徴とする自動車用装飾部品。
【００５１】
（２）請求項５において、前記電気的発光手段は、スイッチの処理回路が形成された基板上に設けられることを特徴とする自動車用装飾部品。
【００５２】
（３）請求項１乃至５のいずれか１項において、前記表面加飾品は、自動車の室内に設けられた装飾パネルであることを特徴とする自動車用装飾部品。
【００５３】
（４）請求項１乃至５のいずれか１項において、前記印刷層は、水圧転写により前記成形体の表面側に形成されることを特徴とする自動車用装飾部品。
【図面の簡単な説明】
【００５４】
【図１】本発明を具体化した第１の実施の形態の装飾パネルを示す斜視図。
【図２】装飾パネルの取付け位置を示す説明図。
【図３】アームレストの断面図。
【図４】第１の実施の形態の装飾パネルの断面図。
【図５】第２の実施の形態の装飾パネルの断面図。
【符号の説明】
【００５５】
１，２０…表面加飾品としての装飾パネル
１３…発光部としてのランプ
１５，２１…成形体
１６，２３…印刷層
１７，２４…クリアコート層
１８…蓄光顔料
２２…発光層
【図１】
2006232065.tif 000003
【図２】
2006232065.tif 000004
【図３】
2006232065.tif 000005
【図４】
2006232065.tif 000006
【図５】
2006232065.tif 000007